(57)【要約】【課題】ヘッドマウントディスプレイを装着した状態において外部装置に接続されたケーブルが利用者の視界に入り難く、かつ装着し易い新たな構成のヘッドマウントディスプレイ及びヘッドマウントディスプレイシステムを提供することを目的とする。【解決手段】ヘッドマウントディスプレイ１００は、外部装置に接続されたケーブル２５０を保持する保持部３００をテンプル１０４Ａに支持するとともに、ケーブル２５０の、テンプル１０４Ａに沿って配置される部分の長さが、長さＬ１である状態と、長さＬ１より短い長さＬ２である状態と、になるように、保持部３００のテンプル１０４Ａに対する位置を切り替え可能とした。【選択図】図３
2010141861.tif 000002
【特許請求の範囲】
【請求項１】
利用者の頭部に装着され、
前記頭部に装着された状態において側頭部に配置され、一端側が前記利用者の左右の耳各々に支持される、第１サイドフレーム及び第２サイドフレームを含むフレームと、
前記フレームに取り付けられ、前記フレームに取り付けられた状態において前記利用者の顔側に配置され、前記第１サイドフレームに沿って設置されるケーブルを介して外部装置に接続され、利用者の眼にコンテンツ画像を視認可能に提示する画像提示手段と、を備えるヘッドマウントディスプレイであって、
前記ケーブルを保持する保持手段と、
前記保持手段を前記第１サイドフレームに支持し、前記ケーブルの、前記第１サイドフレームに沿って設置される部分の長さが、第１長さである第１状態と、前記第１長さより短い第２長さである第２状態と、になるよう、前記保持手段の前記第１サイドフレームに対する位置を切り替える切替手段と、を備えることを特徴とするヘッドマウントディスプレイ。
【請求項２】
前記第１長さのケーブルは、前記第１サイドフレームの前記利用者の耳に支持される位置より前記一端側の位置まで、前記第１サイドフレームに沿って設置されていることを特徴とする請求項１に記載のヘッドマウントディスプレイ。
【請求項３】
前記切替手段は、
前記保持手段に形成された移動ベースと、
前記第１サイドフレームに形成されたガイドと、を備え、
前記移動ベースは前記ガイドに支持され、前記移動ベースが、前記ガイドを移動することで、前記ケーブルの状態が、前記第１状態と、前記第２状態と、になることを特徴とする請求項１又は請求項２に記載のヘッドマウントディスプレイ。
【請求項４】
前記保持手段は、ピニオンを備え、
前記第１サイドフレームには、前記ピニオンと噛み合うラックが形成され、
前記ピニオンの回転によって、前記移動ベースが、前記ガイドを移動することを特徴とする請求項３に記載のヘッドマウントディスプレイ。
【請求項５】
前記保持手段は、前記第１サイドフレームに沿って設置される棒状の部材であって、前記利用者の顔側となる前記保持手段の一側端部において、軸部材により前記第１サイドフレームに、前記軸部材を中心として回動可能に支持され、
前記切替手段は、
前記保持手段の他側端部に形成された引掛部と、
前記第１サイドフレームに形成され、前記引掛部を支持する引掛受部と、により構成され、
前記引掛部が前記引掛受部に支持されている場合、前記ケーブルの状態が第１状態となり、前記引掛部が前記引掛受部に支持されていない場合、前記ケーブルの状態が第２状態となることを特徴とする請求項１又は請求項２に記載のヘッドマウントディスプレイ。
【請求項６】
利用者の頭部に装着され、
前記頭部に装着された状態において側頭部に配置され、一端側が前記利用者の左右の耳各々に支持される、第１サイドフレーム及び第２サイドフレームを含むフレームと、
前記フレームに取り付けられ、前記フレームに取り付けられた状態において前記利用者の顔側に配置され、前記第１サイドフレームに沿って設置されるケーブルを介して外部装置に接続され、利用者の眼にコンテンツ画像を視認可能に提示する画像提示手段と、を備えるヘッドマウントディスプレイであって、
内外周を貫通し、前記ケーブルが挿し通される貫通孔が形成された円筒形状であって、前記ケーブルを保持する保持手段と、
前記保持手段を、前記第１サイドフレームに対して前記円筒の中心軸が略平行、かつ前記中心軸を中心として左右両方向に回転可能に支持する回転支持手段と、を備え、
前記保持手段は、前記回転支持手段を介して一側に回転した場合、前記利用者の顔側から前記利用者の耳側の方向に、前記保持部材の外周側のケーブルを巻き取り、前記ケーブルが前記保持手段の外周に巻き取られた状態において、前記回転支持手段を介して他側に回転した場合、前記利用者の顔側に前記ケーブルを繰り出すことを特徴とするヘッドマウントディスプレイ。
【請求項７】
請求項１乃至請求項６のいずれか１項に記載のヘッドマウントディスプレイと、
前記ヘッドマウントディスプレイとケーブルを介して接続され、所定の信号を前記ヘッドマウントディスプレイに送信する外部装置とを含むヘッドマウントディスプレイシステム。
【発明の詳細な説明】
【技術分野】
【０００１】
本発明は、利用者の眼にコンテンツデータにより示されるコンテンツ画像を視認可能に提示し、この利用者にコンテンツ画像を認識させるヘッドマウントディスプレイに関するものである。
【背景技術】
【０００２】
利用者の眼にコンテンツデータにより示されるコンテンツ画像を視認可能に提示し、利用者にコンテンツ画像を認識させるヘッドマウントディスプレイに関する技術が提案されている。例えば、ヘッドマウントディスプレイ本体（利用者が頭部に装着）には、映像あるいは音声の信号を導くために、観察者の頭部に複数本のケーブルを導かなければならず、観察者にとってケーブルの存在が非常にわずらわしいとして、フレームの内部の回路基板に接続され、孔部を通じて導出されたケーブルを、ヘッドマウントディスプレイを構成するフレームのつる部に設けた引っかけ部にはめ込み、支持し、観察者の頭部側面に沿って後頭部側に引き回したヘッドマウントディスプレイが提案されている。（例えば、特許文献１参照）。
【特許文献１】特開平９−２６６５５４号公報
【発明の開示】
【発明が解決しようとする課題】
【０００３】
ところで、ヘッドマウントディスプレイを装着した状態において、上記従来の構成は、観察者が感じ得るわずらわしさを解消し得ると考えられる。しかし、ケーブルを、フレームのつる部に設けた引っかけ部にて支持し、観察者の頭部側面に沿って後頭部側に引き回す構成を採用したヘッドマウントディスプレイは、これを顔側から装着する際、例えば、ケーブルが、利用者の髪の毛に引っ掛かるといった問題を生じ得る。髪の毛に引っ掛かったときに、ヘッドマウントディスプレイに損傷を与える可能性もある。なお、ヘッドマウントディスプレイを取り外す際にも同様の現象が生じ得る。
【０００４】
本発明は、ヘッドマウントディスプレイを装着した状態において外部装置に接続されたケーブルが利用者の視界に入り難く、かつ装着し易い新たな構成のヘッドマウントディスプレイ及びヘッドマウントディスプレイシステムを提供することを目的とする。
【課題を解決するための手段】
【０００５】
上記従来の課題に鑑みなされた本発明のヘッドマウントディスプレイは、外部装置に接続されたケーブルを利用者の耳に支持される第１サイドフレームに沿って配置するとともに、第１サイドフレームに沿って配置されるケーブルの状態を、第１状態と、ケーブルの第１サイドフレームに沿って配置された部分の長さが、第１状態より短い第２状態と、に切り替える切替手段を備える。なお、本発明においてケーブルは、コンテンツ画像、電力、光源光（具体的にはレーザ光）の少なくとも１つを伝達するものである。
【０００６】
本発明を反映した第１の課題解決手段は、利用者の頭部に装着され、前記頭部に装着された状態において側頭部に配置され、一端側が前記利用者の左右の耳各々に支持される、第１サイドフレーム及び第２サイドフレームを含むフレームと、前記フレームに取り付けられ、前記フレームに取り付けられた状態において前記利用者の顔側に配置され、前記第１サイドフレームに沿って設置されるケーブルを介して外部装置に接続され、利用者の眼にコンテンツ画像を視認可能に提示する画像提示手段と、を備えるヘッドマウントディスプレイであって、前記ケーブルを保持する保持手段と、前記保持手段を前記第１サイドフレームに支持し、前記ケーブルの、前記第１サイドフレームに沿って設置される部分の長さが、第１長さである第１状態と、前記第１長さより短い第２長さである第２状態と、になるよう、前記保持手段の前記第１サイドフレームに対する位置を切り替える切替手段と、を備えることを特徴とするヘッドマウントディスプレイである。これによれば、第１サイドフレームに沿って設置されるケーブルの長さを適宜切り替えることができる。例えば、ヘットマウントディスプレイを脱着し、使用する際に、第１状態と第２状態とを適切に切り替えることができる。脱着時と使用時にケーブルの状態が変わるので、共にケーブルが邪魔にならない。
【０００７】
第２の課題解決手段は、第１の課題解決手段のヘッドマウントディスプレイであって、前記第１長さのケーブルは、前記第１サイドフレームの前記利用者の耳に支持される位置より前記一端側の位置まで、前記第１サイドフレームに沿って設置されていることを特徴とする。これによれば、ケーブルの状態が第１状態の場合はケーブルが視界の近くにないので、ケーブルによって、ヘッドマウントディスプレイの利用者の視界が遮られることがなく、例えば、使用時にケーブルが邪魔にならない。
【０００８】
第３の課題解決手段は、第１又は第２の課題解決手段のヘッドマウントディスプレイであって、前記切替手段は、前記保持手段に形成された移動ベースと、前記第１サイドフレームに形成されたガイドと、を備え、前記移動ベースは前記ガイドに支持され、前記移動ベースが、前記ガイドを移動することで、前記ケーブルの状態が、前記第１状態と、前記第２状態と、になることを特徴とする。これによれば、第１状態と第２状態との切り替えを容易に行うことができる。
【０００９】
第４の課題解決手段は、第３の課題解決手段のヘッドマウントディスプレイであって、前記保持手段は、ピニオンを備え、前記第１サイドフレームには、前記ピニオンと噛み合うラックが形成され、前記ピニオンの回転によって、前記移動ベースが、前記ガイドを移動することを特徴とする。これによれば、第１状態と第２状態との切り替えを容易に行うことができる。
【００１０】
第５の課題解決手段は、第１又は第２の課題解決手段のヘッドマウントディスプレイであって、前記保持手段は、前記第１サイドフレームに沿って設置される棒状の部材であって、前記利用者の顔側となる前記保持手段の一側端部において、軸部材により前記第１サイドフレームに、前記軸部材を中心として回動可能に支持され、前記切替手段は、前記保持手段の他側端部に形成された引掛部と、前記第１サイドフレームに形成され、前記引掛部を支持する引掛受部と、により構成され、前記引掛部が前記引掛受部に支持されている場合、前記ケーブルの状態が第１状態となり、前記引掛部が前記引掛受部に支持されていない場合、前記ケーブルの状態が第２状態となることを特徴とする。これによれば、第１状態と第２状態との切り替えを容易に行うことができる。
【００１１】
本発明を反映した第６の課題解決手段は、利用者の頭部に装着され、前記頭部に装着された状態において側頭部に配置され、一端側が前記利用者の左右の耳各々に支持される、第１サイドフレーム及び第２サイドフレームを含むフレームと、前記フレームに取り付けられ、前記フレームに取り付けられた状態において前記利用者の顔側に配置され、前記第１サイドフレームに沿って設置されるケーブルを介して外部装置に接続され、利用者の眼にコンテンツ画像を視認可能に提示する画像提示手段と、を備えるヘッドマウントディスプレイであって、内外周を貫通し、前記ケーブルが挿し通される貫通孔が形成された円筒形状であって、前記ケーブルを保持する保持手段と、前記保持手段を、前記第１サイドフレームに対して前記円筒の中心軸が略平行、かつ前記中心軸を中心として左右両方向に回転可能に支持する回転支持手段と、を備え、前記保持手段は、前記回転支持手段を介して一側に回転した場合、前記利用者の顔側から前記利用者の耳側の方向に、前記保持部材の外周側のケーブルを巻き取り、前記ケーブルが前記保持手段の外周に巻き取られた状態において、前記回転支持手段を介して他側に回転した場合、前記利用者の顔側に前記ケーブルを繰り出すことを特徴とするヘッドマウントディスプレイである。これによれば、第１サイドフレームに沿って設置されるケーブルの状態を適宜切り替えることができる。
【００１２】
本発明を反映した第７の課題解決手段は、第１乃至第６の課題解決手段のいずれか１のヘッドマウントディスプレイと、前記ヘッドマウントディスプレイとケーブルを介して接続され、所定の信号を前記ヘッドマウントディスプレイに送信する外部装置とを含むヘッドマウントディスプレイシステムである。これによれば、上記特有の機能を実現可能なヘッドマウントディスプレイシステムとすることができる。
【発明の効果】
【００１３】
本発明によれば、ヘッドマウントディスプレイを装着した状態において外部装置に接続されたケーブルが利用者の視界に入り難く、かつ装着し易い新たな構成のヘッドマウントディスプレイ及びヘッドマウントディスプレイシステムを得ることができる。
【発明を実施するための最良の形態】
【００１４】
本発明を反映した上記課題解決手段を実施するための実施形態について、図面を用いて以下に詳細に説明する。なお、上記課題解決手段は以下に記載の構成に限定されるものではない。例えば、以下の説明では、ヘッドマウントディスプレイ（Ｈｅａｄ  Ｍｏｕｎｔｅｄ  Ｄｉｓｐｌａｙ／以下、「ＨＭＤ」という。）と、ヘッドマウントディスプレイにコンテンツデータへの再生処理の実行により得られた画像（以下、「コンテンツ画像」という。）を提供する制御ボックスと、を接続して構成されたヘッドマウントディスプレイシステムを例に説明するが、同一の技術的思想において種々の構成を採用することができる。
【００１５】
（ヘッドマウントディスプレイの概要）
図１に、ＨＭＤの構成、より具体的には、図１（ａ）にＨＭＤの上面図、図１（ｂ）にＨＭＤの正面図、図１（ｃ）にＨＭＤの左側面図を示す。また、図２にＨＭＤを利用者が装着した状態を示す。なお、図１及び図２において、ＨＭＤ、具体的には、画像提示装置と制御ボックスとを接続するケーブルを保持する保持部と、保持部をテンプル（符号１０４Ａ）に支持する切替部及び回転支持フレーム・回転支持軸と、についての描画は省略する。これらについては、後述する図３以降で説明する。
【００１６】
ＨＭＤ１００は、一端側（後頭部側）に利用者の耳に支持されるモダン１０２Ａ，１０２Ｂが取り付けられたテンプル１０４Ａ，１０４Ｂと、テンプル１０４Ａ，１０４Ｂの他端に兆番１１２Ａ，１１２Ｂを介して連結されたヨロイ１０６Ａ，１０６Ｂと、ヨロイ１０６Ａ，１０６Ｂを連結するフロントフレーム１０８と、フロントフレーム１０８の中央部に一体的に形成され、利用者の鼻に当接する鼻パッド１１０と、により骨格部が形成されている。ヨロイ１０６Ａ，１０６Ｂに形成された兆番１１２Ａ，１１２Ｂでテンプル１０４Ａ，１０４Ｂを折りたたむことができる。ＨＭＤ１００の骨格部の構成は、例えば、通常の眼鏡と同様であり、ＨＭＤ１００は、利用者に装着された状態において、モダン１０２Ａ，１０２Ｂと、鼻パッド１１０と、により利用者の顔に支持される（図２参照）。なお、図１（ｂ）において、モダン１０２Ａ，１０２Ｂ及びテンプル１０４Ａ，１０４Ｂの描画を省略している。
【００１７】
ＨＭＤ１００の骨格部には、画像提示装置１１４が、ヨロイ１０６Ａ付近に配設された取付部１２２を介して取り付けられている。ヨロイ１０６Ａ付近に取付部１２２を介して取り付けられた状態において、画像提示装置１１４は、ＨＭＤ１００を装着した利用者の左眼１１８と略同一の高さとなる位置に配設される（設けられる）。画像提示装置１１４は、制御ボックス２００（図２参照）と、所定のケーブル２５０（図２参照）と接続されている。また、画像提示装置１１４は、バッテリー（制御ボックス２００に内蔵）から電源の供給を受け、駆動する。その際、ケーブル２５０を介して電源が供給される。なお、ケーブル２５０は、複数のケーブルによって構成されている。例えば、コンテンツ画像信号を送信するためのケーブルと、電源を供給するためのケーブルと、光源（図１及び図２において描画せず）光を伝達するケーブル、制御信号を送信するためのケーブルによって構成される。
【００１８】
制御ボックス２００は、所定の領域に記憶されたコンテンツデータに対しレンダリング処理を実行し、自装置が備える入出力インターフェース（以下、「Ｉ／Ｆ」という。）を制御し、レンダリング処理によって得られたコンテンツ画像を含むコンテンツ画像信号を、ケーブル２５０を介して画像提示装置１１４に出力する。画像提示装置１１４は、制御ボックス２００が出力するコンテンツ画像信号を、図１及び２には描画していない入出力Ｉ／Ｆを介して受信し、これを取得する。そして、コンテンツ画像信号に基づくコンテンツ画像を、ハーフミラー１１６に向けて光学的に出射する。また、制御ボックス２００は、所定の領域に記憶されたコンテンツデータに対しレンダリング処理を実行し、自装置が備える入出力インターフェース（以下、「Ｉ／Ｆ」という。）を制御し、ＨＭＤ１００に、光源光を伝達し、制御信号を送信する。
【００１９】
画像提示装置１１４から出射されたコンテンツ画像（画像光）は、ハーフミラー１１６で、反射し、利用者の左眼１１８に入射、換言すれば、視認可能に提示（投影）される。これにより、利用者はコンテンツ画像を認識する。ここで、図１（ａ）において符号１２０ａは、画像提示装置１１４から出射されたコンテンツ画像に関する画像光を示し、符号１２０ｂは、ハーフミラー１１６によって反射され、利用者の左眼１１８に入射する画像光を示す。なお、画像提示装置１１４は、取得したコンテンツ画像信号に応じた画像光１２０ａ，１２０ｂを２次元方向に走査し、その走査された画像光１２０ａ，１２０ｂを利用者の左眼１１８に導き網膜上にコンテンツ画像を形成する網膜走査型のディスプレイを用いて構成することができる他、液晶ディスプレイ、有機ＥＬ（Ｏｒｇａｎｉｃ  Ｅｌｅｃｔｒｏｌｕｍｉｎｅｓｃｅｎｃｅ）ディスプレイその他の装置を用いた構成とすることもできる。
【００２０】
次に、テンプル１０４Ａに沿ってケーブル２５０を配置する複数の態様について説明する。なお、以下の説明に用いる図３，図５，図７及び図９に示すＨＭＤは、その概略の構成のみを示したものである。したがって、図１に記載のＨＭＤとは、その外観を異にする。例えば、図３等のＨＭＤでは、モダン１０２Ａ，１０２Ｂの描画を省略する。また、図３等において、（ａ）及び（ｂ）各々にＨＭＤを示すが、両者は同一のＨＭＤであるため、ＨＭＤを構成する要素に対する符号は（ａ）にのみ付し、（ｂ）については符号を省略する。
【００２１】
（第１の態様）
図３に、テンプルに沿ってケーブルを配置する第１の態様を示す。具体的に、図３（ａ）に、保持部がケーブルを顔側で保持した態様を示し、図３（ｂ）は、保持部がケーブルを後頭部側で保持した態様を示す。
【００２２】
第１の態様において、ケーブル２５０の所定の範囲を移動自在に保持する保持部３００は、テンプル１０４Ａの側面に支持される。保持部３００は、テンプル１０４Ａの側面に支持された状態で、テンプル１０４Ａの側面に形成されたガイド３０６内をスライド移動する。保持部３００が、顔側、換言すれば、画像提示装置１１４側に移動した場合、保持部３００はケーブル２５０を顔側で保持（保持部３００は顔側にあるケーブル２５０を保持）し、これによって、ケーブル２５０の状態は、図３（ａ）の状態となる。図３（ａ）の状態において、保持部３００に保持されたケーブル２５０の、テンプル１０４Ａに沿って設置される部分の長さはＬ２となる。
【００２３】
これに対し、保持部３００が、モダン１０２Ａ（図１（ａ）参照）側に移動した場合、保持部３００はケーブル２５０をモダン１０２Ａ側（後頭部側）で保持（保持部３００はモダン１０２Ａ側（後頭部側）にあるケーブル２５０を保持）し、これによって、ケーブル２５０の状態は、図３（ｂ）の状態となる。図３（ｂ）の状態において、ケーブル２５０の、テンプル１０４Ａに沿って設置される部分の長さはＬ１（Ｌ１＞Ｌ２）となる。長さＬ１及びＬ２は、ケーブル２５０の画像提示装置１１４側の端部（画像提示装置１１４との接続部）を基準とした長さである（図３参照）。長さＬ１及びＬ２の基準を、これ以外の所定の位置とすることもできる。例えば、保持部３００の顔側への移動端（図３（ａ）及び（ｂ）に記載の保持部３００がスライド移動可能な範囲を描画した矢印にあって、左向きに記載された矢先端の位置）を、長さＬ１及びＬ２の基準としてもよい。
【００２４】
図４に、第１の態様における保持部及びテンプルの断面を示す。保持部３００にはケーブル２５０の直径より大きい直径の挿入孔３０２が形成されている。挿入孔３０２には、画像提示装置１１４に接続されたケーブル２５０が挿入される。保持部３００は、挿入孔３０２にケーブル２５０が挿入されることで、ケーブル２５０を保持する。また、保持部３００のテンプル１０４Ａに対向する面には、テンプル１０４Ａ側に突出する移動ベース３０４が形成されている。ここで、移動ベース３０４は、幅の狭い部分（以下、「幅狭部」という。）３０４ａと、先端側に形成された幅の広い部分（以下、「幅広部」という。）３０４ｂと、によって構成される。なお、テンプル１０４Ａに形成されたガイド３０６は、テンプル１０４Ａの側面を貫通して形成されている。
【００２５】
幅狭部３０４ａは、ガイド３０６内を移動可能な状態、詳細には、ガイド３０６に対して所定の隙間をもって嵌合する。幅広部３０４ｂは、テンプル１０４Ａの側頭部側の側面に配置される（図４参照）。かかる構成によって、保持部３００は、テンプル１０４Ａの側面に支持され、かつガイド３０６に沿ってガイド３０６内を、顔側から後頭部側及び後頭部側から顔側にスライド移動することができる。なお、図１及び図２において、その描画を省略した切替部は、移動ベース３０４及びガイド３０６によって構成される。
【００２６】
第１の態様において、モダン１０２Ａ，１０２Ｂはテンプル１０４Ａ，１０４Ｂに抜き差し自在に取り付けられている。また、ガイド３０６は、テンプル１０４Ａ，１０４Ｂの後頭部側端まで形成されている（図３は、これと異なる構成を図示したものである。）。例えば、モダン１０２Ａ，１０２Ｂをテンプル１０４Ａ，１０４Ｂから抜き取ることで、保持部３００をテンプル１０４Ａから取り外すことが可能となり、反対側のテンプル１０４Ｂに取り付けることができる。そして、モダン１０２Ａ，１０２Ｂを、再度、テンプル１０４Ａ，１０４Ｂに差し込み取り付けることで、図３に示す状態と同様の状態とすることができる。この際、保持部３００は、テンプル１０４Ｂの側面に支持される。テンプル１０４Ｂの側面に支持された状態において、保持部３００はガイド３０６に沿ってガイド３０６内を、顔側から後頭部側及び後頭部側から顔側にスライド移動することができる。なお、本実施形態のＨＭＤ１００は、画像提示装置１１４の取付位置を右眼側とすることが可能で、画像提示装置１１４の取付位置を変更した場合等に、保持部３００の取付位置が変更される。
【００２７】
（第１の態様によって得られる有利な作用及び効果）
第１の態様によるＨＭＤ１００によれば、図３（ａ）の状態と、図３（ｂ）の状態と、を切り替えることができるため、以下、（１）及び（２）に記載の有利な効果を両立することができる。
【００２８】
（１）保持部３００が顔側に配置された状態において、保持部３００以降のケーブル２５０、より詳細には、画像提示装置１１４側から保持部３００に形成された挿入孔３０２に挿入され、この挿入孔３０２を通過した以降のケーブル２５０は、重力によって下側に垂れ下がる（図３（ａ）参照）。この状態でＨＭＤ１００を装着すると、ケーブル２５０は耳より前（顔側）で垂れ下がった状態となる。したがって、図３（ａ）の状態で、ＨＭＤ１００を装着すれば、垂れ下がったケーブル２５０が利用者の髪の毛に引っ掛かるといった不都合、及び髪の毛に引っ掛かることに起因して生じ得る機器の損傷を防止することができる。その結果、ＨＭＤ１００の損傷に細心の配慮をすることなく、利用者はＨＭＤ１００を容易に装着することができる。なお、装着しているＨＭＤ１００を取り外す場合についても、垂れ下がったケーブル２５０を顔側に移動させることで、利用者の髪の毛とケーブル２５０との引っ掛かりを防止することが可能となり、容易に取り外すことができる。
【００２９】
（２）ＨＭＤ１００を装着した後、利用者の耳より前の所定の位置にケーブル２５０が垂れ下がっていると（例えば、図３（ａ）参照）、利用者の視界に垂れ下がったケーブル２５０が入ってしまうという状況が生じ得る。そこで、利用者は、ＨＭＤ１００を装着後、保持部３００を後頭部側に移動させる。ケーブル２５０が利用者の耳に引っ掛かった状態においては、通常、ケーブル２５０が利用者の視界に入ることはない。これにより、利用者は良好な視界を確保することができる。なお、保持部３００を後頭部側に移動させケーブル２５０を利用者の耳に引っ掛かった状態は、ＨＭＤ１００の落下防止にも寄与する。
【００３０】
なお、第１の態様のＨＭＤ１００において保持部３００は、利用者の耳より後ろ（後頭部側）までスライド移動することができる。換言すれば、テンプル１０４Ａに形成されたガイド３０６は、利用者の利用者の耳より後ろの後頭部側まで形成されている。
【００３１】
（第２の態様）
図５に、テンプルに沿ってケーブルを配置する第２の態様を示す。具体的に、図５（ａ）に、保持部がケーブルを顔側で保持した態様を示し、図５（ｂ）に、保持部がケーブルを後頭部側で保持した態様を示す。第２の態様におけるＨＭＤ１００は、上記した第１の態様のＨＭＤ１００が備える構成にさらに追加の構成を備えるものである。したがって、以下の説明では、追加された構成を中心に説明し、第１の態様と同一である範囲については、その説明を省略又は簡略化する。
【００３２】
第２の態様で、新たに追加された構成について説明する。すなわち、第２の態様のＨＭＤ１００は、第１の態様のＨＭＤ１００が備える構成を全て備え、さらに、保持部３２０にピニオン３２２を備えるとともに、テンプル１０４Ａの保持部３２０に対向する側面にピニオン３２２に噛み合うラック３０８が形成されている。なお、ラック３０８とガイド３０６とは、略同一の範囲に、かつ平行に併設して形成されている。
【００３３】
ここで、利用者は、保持部３２０を所定に位置に移動させるに際し、ピニオン３２２を所定の方向に回転させる。例えば、保持部３２０が顔側に移動し、配置されている場合（図５（ａ）参照）、ピニオン３２２を一の方向に回転させると、保持部３２０はモダン１０２Ａ（図１参照）側に移動する。一方、保持部３２０がモダン１０２Ａ側に移動し、配置されている場合（図５（ｂ）参照）、ピニオン３２２を他の方向に回転させると、保持部３２０は顔側に移動する。
【００３４】
なお、図５の各状態において、保持部３００に保持されたケーブル２５０の、テンプル１０４Ａに沿って設置される部分の長さについては、図３の各状態と同一であり、その説明を省略する。また、ＨＭＤ１００を装着しなければならないという状況において、図５（ａ）の状態に切り替えられることによって得られる作用及び効果、及びＨＭＤ１００を装着した状況において、図５（ｂ）の状態に切り替えられることによって得られる効果等についても第１の態様において説明したとおりであり省略する。
【００３５】
図６に、第２の態様における保持部及びテンプルの断面を示す。なお、図６では、第１の態様の構成と同一の構成については同一の符号を付している（同一の符号を付した構成についての説明は省略する。）。上述したとおり第２の態様では、保持部３２０の移動をピニオン３２２を介して操作する。そのため、保持部３２０には、ピニオン３２２がピン３２４を中心として回転可能に取り付けられている。なお、上述したとおりテンプル１０４Ａの保持部３２０に対向する側面であって、ピニオン３２２が噛み合う位置にラック３０８が形成されている。
【００３６】
（第３の態様）
図７に、テンプルに沿ってケーブルを配置する第３の態様を示す。具体的に、図７（ａ）に、保持部がケーブルを顔側で保持した態様を示し、図７（ｂ）に、保持部がケーブルを後頭部側まで保持した態様を示す。また、図８に保持部の断面を示す。
【００３７】
第３の態様において、保持部３４０は、テンプル１０４Ａの側面であって顔側の所定の位置に、回転軸３４２を中心に所定の範囲（少なくとも、図７（ａ）に記載された矢印によって示される範囲）回転可能に支持される。保持部３４０には、利用者の顔側からモダン１０２Ａ側に貫通する挿入孔３４４が形成されている。挿入孔３４４には、画像提示装置１１４に接続されたケーブル２５０が挿入されている（図８参照）。保持部３００は、挿入孔３４４にケーブル２５０が挿入されることで、ケーブル２５０を保持する。
【００３８】
また、保持部３４０には切欠状の引掛部３４６が形成されている。テンプル１０４Ａのモダン１０２Ａ（図１（ａ）参照）側の所定の位置には、引掛部３４６を支持する凸状の引掛受部３４８が形成されている。引掛部３４６が引掛受部３４８にて支持されない場合、ケーブル２５０の所定の範囲を保持した保持部３４０は、重力によって回転軸３４２を中心に右回りに回転する。その結果、保持部３４０とともにケーブル２５０が、利用者の耳より顔側の位置に垂れ下がった状態となる。具体的には、図７（ａ）の状態となる。図７（ａ）の状態において、ケーブル２５０の、テンプル１０４Ａに沿って設置される部分の長さはＬ２となる。
【００３９】
これに対し、引掛部３４６が引掛受部３４８にて支持された場合、保持部３４０はテンプル１０４Ａに沿って設置され、これにともない、保持部３４０に保持されたケーブル２５０も、テンプル１０４Ａに沿って設置される。具体的には、図７（ｂ）の状態となる。図７（ｂ）の状態において、ケーブル２５０の、テンプル１０４Ａに沿って設置される部分の長さはＬ１（Ｌ１＞Ｌ２）となる。第１の態様と同じく、長さＬ１及びＬ２は、ケーブル２５０の画像提示装置１１４側の端部（画像提示装置１１４との接続部）を基準とした長さである（図７参照）。長さＬ１及びＬ２の基準を、これ以外の所定の位置とすることもできる。例えば、回転軸３４２の位置を、長さＬ１及びＬ２の基準としてもよい。回転軸３４２を基準とした場合、長さＬ２は「０」である。
【００４０】
第３の態様において、引掛部３４６が引掛受部３４８にて支持された場合、保持部３００のモダン１０２Ａ側の端部は、利用者の耳より後ろ（後頭部側）に配置される。また、図１及び図２において、その描画を省略した切替部は、回転軸３４２と、引掛部３４６と、引掛受部３４８と、によって構成される。
【００４１】
ＨＭＤ１００を装着しなければならないという状況において、図７（ａ）の状態に切り替えられることによって得られる作用及び効果、及びＨＭＤ１００を装着した状況において、図７（ｂ）の状態に切り替えられることによって得られる効果等については第１の態様において説明したとおりであり省略する。
【００４２】
なお、上記説明において、引掛部３４６を切欠状とし、引掛受部３４８を凸状として説明したが、両者の関係を逆にすることもできる。すなわち、引掛部３４６を保持部３４０の側面からテンプル１０４Ａ側突出する凸状とし、引掛受部３４８を切欠状とすることもできる。
【００４３】
（第４の態様）
図９に、テンプルに沿ってケーブルを配置する第４の態様を示す。具体的に、図９（ａ）に、ケーブルが繰り出された態様を示し、図９（ｂ）に、ケーブルが巻き取られた態様を示す。図１０に、保持部の断面を示す。
【００４４】
第４の態様において、保持部３６０は、円筒形状を成し、テンプル１０４Ａのモダン１０２Ａ（図１（ａ）参照）側の端部に一体的に形成された回転支持フレーム４００から、テンプル１０４Ａに略平行な方向に突出した回転支持軸４０２を中心として左右両方向に回転可能に支持される。なお、保持部３６０は、回転支持軸４０２の中心軸に対し所定の同軸度を持って支持されるため、保持部３６０は、テンプル１０４Ａに対して前記円筒の中心軸が略平行な状態で回転支持軸４０２に支持される。保持部３６０には、回転支持軸４０２に支持された状態で利用者の顔側になる所定の位置に、内外周を貫通する貫通孔３６２が形成されている（図１０参照）。
【００４５】
画像提示装置１１４に接続されたケーブル２５０は、画像提示装置１１４側から保持部３６０の内周に挿入され、貫通孔３６２を通って、保持部３６０の外周側に配置される。保持部３６０の外周に配置されたケーブル２５０は、重力によって貫通孔３６２付近（利用者の耳より顔側の位置）で下側に垂れ下がる。具体的には、図９（ａ）の状態となる。図９（ａ）の状態において、ケーブル２５０の、テンプル１０４Ａに沿って設置される部分の長さはＬ２となる。
【００４６】
図９（ａ）の状態において、利用者が、保持部３６０を回転支持軸４０２を中心として一側に回転させたとき、ケーブル２５０は、保持部３６０の外周をモダン１０２Ａ（図１（ａ）参照）側（利用者の耳側の方向）に巻き取られる。そして、利用者が継続して保持部３６０を回転させた場合、ケーブル２５０は、ＨＭＤ１００を装着した状態で、利用者の耳の後ろ側となる位置まで巻き取られ、図９（ｂ）の状態となる。図９（ｂ）の状態において、ケーブル２５０の、テンプル１０４Ａに沿って設置される部分の長さはＬ１（Ｌ１＞Ｌ２）となる。図９（ｂ）の状態において、利用者が、保持部３６０を回転支持軸４０２を中心として他側に回転させたとき、保持部３６０の外周に巻き取られたケーブル２５０は繰り出され、最終的に、図９（ａ）の状態に戻る。
【００４７】
ＨＭＤ１００を装着しなければならないという状況において、図９（ａ）の状態に切り替えられることによって得られる作用及び効果、及びＨＭＤ１００を装着した状況において、図９（ｂ）の状態に切り替えられることによって得られる効果等については第１の態様において説明したとおりであり省略する。
【００４８】
なお、上述した第６の課題解決手段における「回転支持手段」は、第４の態様における回転支持フレーム４００及び回転支持軸４０２による構成に対応する。
【図面の簡単な説明】
【００４９】
【図１】（ａ）〜（ｃ）は、本発明の実施形態におけるＨＭＤの外観を示す図
【図２】本発明の実施形態におけるＨＭＤを装着した状態及びヘッドマウントディスプレイシステムを示す図
【図３】（ａ）及び（ｂ）は、本発明の実施形態におけるケーブルを保持する第１の態様を示す図
【図４】本発明の実施形態における第１の態様における保持部及びテンプルの断面を示す図
【図５】（ａ）及び（ｂ）は、本発明の実施形態におけるケーブルを保持する第２の態様を示す図
【図６】本発明の実施形態における第２の態様における保持部及びテンプルの断面を示す図
【図７】（ａ）及び（ｂ）は、本発明の実施形態におけるケーブルを保持する第３の態様を示す図
【図８】本発明の実施形態における第３の態様における保持部の断面を示す図
【図９】（ａ）及び（ｂ）は、本発明の実施形態におけるケーブルを保持する第４の態様を示す図
【図１０】本発明の実施形態における第４の態様における保持部の断面を示す図
【符号の説明】
【００５０】
１００  ＨＭＤ
１１４  画像提示装置
２００  制御ボックス
３００，３２０，３４０，３６０  保持部
３０２，３４４  挿入孔
３０４  移動ベース
３０６  ガイド
３４６  引掛部
３４８  引掛受部
４００  回転支持フレーム
４０２  回転支持軸
【図１】
2010141861.tif 000003
【図２】
2010141861.tif 000004
【図３】
2010141861.tif 000005
【図４】
2010141861.tif 000006
【図５】
2010141861.tif 000007
【図６】
2010141861.tif 000008
【図７】
2010141861.tif 000009
【図８】
2010141861.tif 000010
【図９】
2010141861.tif 000011
【図１０】
2010141861.tif 000012